(57)【要約】【課題】  消音演奏モード時に、通常演奏モード時と変わらない鍵のタッチ感が得られるとともに、ジャックの離脱時におけるハンマーヘッドと弦との距離を拡大し、それにより、止音を余裕を持って確実に行うことができるグランド型ピアノを提供する。【解決手段】  上下方向に移動自在のハンマーシャンクフレンジ１と、ハンマーシャンクフレンジ１に回動自在に支持されたハンマー５と、シャンクローラ５ｃを介してハンマーシャンク５ａを載置するレペティションレバー８と、消音演奏モード時に、ハンマーシャンク５ａが当接することによって、ハンマーヘッド５ｂによる打弦を阻止する止音レール１５と、消音演奏モード時に、ハンマーシャンクフレンジ１を上方に移動させる駆動装置３０と、を備えている。【選択図】  図２
2009251053.tif 000002
【特許請求の範囲】
【請求項１】
前後方向に張られた弦の打弦を許容する通常演奏モードと、前記弦の打弦を阻止する消音演奏モードに切り替えて演奏されるグランド型ピアノであって、
上下方向に移動自在のハンマーシャンクフレンジと、
前後方向に延びるハンマーシャンクの後端部にハンマーヘッドを有し、前部の下面にシャンクローラを有するとともに、前記ハンマーシャンクの前端部において前記ハンマーシャンクフレンジに回動自在に支持されたハンマーと、
後ろ下がりに傾斜した状態で前後方向に延び、前記シャンクローラを介して前記ハンマーシャンクを載置するレペティションレバーと、
鍵の押鍵に伴い、前記シャンクローラを介して、前記ハンマーを突き上げ、回動させるとともに、その回動の途中で前記ハンマーから離脱するジャックと、
前記弦と前記ハンマーシャンクの間に進退自在に設けられ、前記消音演奏モード時に、前記ハンマーシャンクが当接することによって、前記ハンマーヘッドによる打弦を阻止する止音レールと、
前記消音演奏モード時に、前記ハンマーシャンクフレンジを上方に移動させる駆動装置と、
を備えていることを特徴とするグランド型ピアノ。
【請求項２】
前記ハンマーシャンクフレンジから下方に突出し、押鍵時、前記レペティションレバーが下方から当接することにより、当該レペティションレバーの上方への移動を阻止するためのドロップスクリューと、
所定の厚さを有し、前記ドロップスクリューと前記レペティションレバーの間に進退自在に設けられたドロップスクリュースペーサと、
前記消音演奏モード時に、前記ドロップスクリュースペーサを前記ドロップスクリューの下側に移動させるスペーサ駆動装置と、をさらに備えていることを特徴とする請求項１に記載のグランド型ピアノ。
【発明の詳細な説明】
【技術分野】
【０００１】
本発明は、弦の打弦を許容する通常演奏モードと、弦の打弦を阻止する消音演奏モードに切り替えて演奏されるグランド型ピアノに関する。
【背景技術】
【０００２】
従来のグランド型ピアノ（以下、単に「ピアノ」という）として、例えば特許文献１に開示されたものが知られている。このピアノは、弦を打弦し、アコースティック音を発生させる通常演奏モードと、打弦を行わず、電子音を発生させる消音演奏モードとに切替え可能に構成されている。このピアノは、水平に張られた弦と、この弦を打弦する回動自在のハンマーと、押鍵に伴い、ハンマーを突き上げ、回動させるとともに、ハンマーの回動の途中でハンマーから離脱するジャックと、ジャックの上側に間隔を隔てて対向するとともに、上下方向に移動自在に設けられたレギュレーティングボタンと、弦とハンマーシャンクの間に進退自在に設けられた止音レールなどを備えている。止音レールは、消音演奏モード時に、弦とハンマーシャンクの間に位置し、回動するハンマーシャンクが当接することにより、ハンマーが弦を打弦する動作を阻止するものである。このように、止音レールによるハンマーの阻止動作は、ハンマーシャンクが止音レールに当接したときの衝撃が演奏者の指先に伝わらないようにするために、ジャックがハンマーから離脱した後に行うことが必要である。
【０００３】
このピアノでは、消音演奏モード時に、レギュレーティングボタンが下方に駆動される。これにより、ジャックがハンマーから離脱するタイミングが早くなることによって、ジャックの離脱時における弦とハンマーヘッドとの間の距離が、通常演奏モード時よりも拡大される。それにより、ジャックが離脱してからハンマーヘッドが弦を打弦するまでのハンマーシャンクのストロークが大きくなるため、そのストロークの間で止音レールによる止音を確実に行える。
【０００４】
しかし、この従来のピアノでは、消音演奏モード時には、レギュレーティングボタンが下方に駆動され、ジャックがハンマーから離脱するタイミングが早くなるため、レットオフが早くなり、タッチ重さも大きく減少することによって、通常演奏モード時と大きく異なるタッチ感が得られ、違和感が生じてしまう。
【０００５】
本発明は、消音演奏モード時に、通常演奏モード時と変わらない鍵のタッチ感が得られるとともに、ジャックの離脱時におけるハンマーヘッドと弦との距離を拡大し、それにより、止音を余裕を持って確実に行うことができるグランド型ピアノを提供することを目的とする。
【０００６】
【特許文献１】特許第３４５６２１６号公報
【発明の開示】
【課題を解決するための手段】
【０００７】
この目的を達成するために、請求項１に係る発明は、前後方向に張られた弦の打弦を許容する通常演奏モードと、弦の打弦を阻止する消音演奏モードに切り替えて演奏されるグランド型ピアノであって、上下方向に移動自在のハンマーシャンクフレンジと、前後方向に延びるハンマーシャンクの後端部にハンマーヘッドを有し、前部の下面にシャンクローラを有するとともに、ハンマーシャンクの前端部においてハンマーシャンクフレンジに回動自在に支持されたハンマーと、後ろ下がりに傾斜した状態で前後方向に延び、シャンクローラを介してハンマーシャンクを載置するレペティションレバーと、鍵の押鍵に伴い、シャンクローラを介して、ハンマーを突き上げ、回動させるとともに、その回動の途中でハンマーから離脱するジャックと、弦とハンマーシャンクの間に進退自在に設けられ、消音演奏モード時に、ハンマーシャンクが当接することによって、ハンマーヘッドによる打弦を阻止する止音レールと、消音演奏モード時に、ハンマーシャンクフレンジを上方に移動させる駆動装置と、を備えていることを特徴とする。
【０００８】
この構成によれば、ハンマーシャンクは、その前端部において、ハンマーシャンクフレンジに回動自在に支持されるとともに、シャンクローラを介してレペティションレバーに載置されており、離鍵状態では、後ろ下がりに傾斜した状態になっている。
【０００９】
この状態から、鍵が押鍵されると、それに伴い、ジャックが上方に回動し、シャンクローラを介してハンマーを突き上げ、回動させる。このハンマーの回動の途中で、ジャックはハンマーから離脱し、その後、ハンマーは慣性で回動する。通常演奏モード時には、止音レールが退避していて、ハンマーシャンクが止音レールに当接しないことで、ハンマーの回動が許容され、ハンマーヘッドで弦を打弦する。それにより、アコースティックな通常演奏が行われる。一方、消音演奏モード時には、弦とハンマーシャンクの間に止音レールが進入していることで、ジャックの離脱後に、ハンマーシャンクが止音レールに当接する。それにより、ハンマーが停止されることで、ハンマーヘッドによる打弦が阻止され、消音演奏が行われる。
【００１０】
本発明によれば、ハンマーシャンクを支持するハンマーシャンクフレンジが上下方向に移動自在に構成されており、消音演奏モード時に、駆動装置によって、ハンマーシャンクフレンジを上方に移動させる。このようにハンマーシャンクフレンジが上方に移動すると、それと同じ移動量でハンマーシャンクの回動中心が上方に移動するのに対し、シャンクローラの位置は、後ろ下がりに傾斜した状態のレペティションレバーに沿って上方に移動する。このため、ハンマーシャンクの傾斜角度は、移動前よりも大きくなる。これにより、通常演奏モード時よりも、離鍵状態におけるハンマーシャンクの傾斜角度が大きくなり、ハンマーヘッドの高さ、すなわち、押鍵に伴って回動するハンマーヘッドの初期位置の高さが低くなるので、ジャックの離脱時におけるハンマーヘッドと弦との距離が拡大する。したがって、ジャックが離脱してからハンマーヘッドが弦を打弦するまでのハンマーシャンクのストロークが大きくなるため、止音レールによる止音を、余裕をもって確実に行うことができる。
【００１１】
また、上記のようにハンマーシャンクフレンジを上方に移動させるので、ジャックとシャンクローラなどとの上下方向の位置関係はほとんど変わらず、ジャックがハンマーから離脱するタイミングは、通常演奏モード時とほぼ同じである。したがって、通常演奏モード時とほとんど変わらない鍵のタッチ感を得ることができる。
【００１２】
請求項２に係る発明は、ハンマーシャンクフレンジから下方に突出し、押鍵時、レペティションレバーが下方から当接することにより、レペティションレバーの上方への移動を阻止するためのドロップスクリューと、所定の厚さを有し、ドロップスクリューとレペティションレバーの間に進退自在に設けられたドロップスクリュースペーサと、消音演奏モード時に、ドロップスクリュースペーサをドロップスクリューの下側に移動させるスペーサ駆動装置と、をさらに備えていることを特徴とする。
【００１３】
この構成によれば、消音演奏モード時に、ハンマーシャンクフレンジが上方に移動するのに伴い、それと一緒にドロップスクリューが上方に移動するので、ドロップスクリューとレペティションレバーとの間隔が広がる。
【００１４】
本発明によれば、消音演奏モード時に、スペーサ駆動装置によって、所定の厚さを有するドロップスクリュースペーサをドロップスクリューの下側に移動させる。したがって、ドロップスクリュースペーサとレペティションレバーとの間隔を、通常演奏モード時における、ドロップスクリューとレペティションレバーとの間隔と同じにすることができる。これにより、消音演奏モード時に、ドロップスクリュースペーサに当接することによってレペティションレバーの上方への移動が阻止されるタイミングを通常演奏モード時と同じタイミングに維持できるので、前述した請求項１の作用をより効果的に得ることができる。
【発明を実施するための最良の形態】
【００１５】
以下、図面を参照しながら、本発明の好ましい実施形態を詳細に説明する。図１および図２は、本発明の第１実施形態によるグランド型ピアノ２０（以下、単に「ピアノ」という）の鍵盤装置を、それぞれ離鍵状態および押鍵状態において示している。これらの図に示すように、このピアノ２０は、複数の鍵１４（１つのみ図示）と、鍵１４ごとに設けられ、弦Ｓを打弦するハンマー５と、鍵１４の後部の上側に設けられたアクション７と、ハンマー５を支持するハンマーシャンクフレンジ１と、止音レール１５などを備えている。
【００１６】
このピアノ２０は、ハンマー５による弦Ｓの打弦により、アコースティックな演奏音を発生させる通常演奏モードと、ハンマー５による打弦を阻止し、電子的な演奏音を発生させる消音演奏モードに、切り替えて演奏されるように構成されている。以下、ピアノ２０を演奏者から見た場合の手前側（同図の右側）を「前」、奥側（同図の左側）を「後」として説明を行うものとする。
【００１７】
鍵１４は、その中央に形成されたバランス孔（図示省略）を介して、バランスピン（図示省略）に回動自在に支持されている。弦Ｓは、フレーム（図示省略）に張られており、前後方向に水平に延びている。
【００１８】
ハンマー５は、前後方向に延びるハンマーシャンク５ａと、ハンマーシャンク５ａの後端部に取り付けられたハンマーヘッド５ｂと、ハンマーシャンク５ａの前部の下面に取り付けられたシャンクローラ５ｃなどで構成されている。シャンクローラ５ｃは、例えば、内側のクロスとその外側に巻いたスキンから円柱状に形成されており、ハンマーシャンク５ａに固定されている。
【００１９】
ハンマーシャンクフレンジ１は、左右方向に延びる水平なセンターピン１１を介して、ハンマーシャンク５ａの前端部を支持しており、それにより、ハンマー５は、センターピン１１を中心として回動自在である。ハンマーシャンクフレンジ１の後端部には、下方に突出するドロップスクリュー１２が設けられている。また、ハンマーシャンクフレンジ１は、後述する駆動装置３０によって、上下方向に移動するように構成されている。
【００２０】
これらのハンマーシャンクフレンジ１は、左右方向に並んだ状態で、シャンクレール２の上面に保持されている。シャンクレール２は、左右方向に延びており、筬（図示省略）の上に左右方向に並んだ状態で設けられた複数のブラケット６（１つのみ図示）に取り付けられている。このシャンクレール２の下面には、レギュレーティングレール４が一体に設けられている。このレギュレーティングレール４には、レギュレーティングボタン４ａが下方に突出するように設けられている。
【００２１】
アクション７は、ウィッペン２１と、ウィッペン２１に取り付けられたレペティションレバー８およびジャック１０を備えている。ウィッペン２１は、その後端部において、ウィッペンレール２４に固定されたウィッペンフレンジ２２に回動自在に支持されており、中央部において、鍵１４の後部に設けられたキャプスタンスクリュー２３に載置されている。
【００２２】
レペティションレバー８は、前後方向に延びており、その中央部でウィッペン２１に回動自在に取り付けられている。レペティションレバー８は、レペティションスプリング１６によって、図１の反時計方向に付勢されており、それにより、後ろ下がりに傾斜した状態に保たれている。レペティションレバー８の前部には、上下方向に貫通するジャック案内孔９が形成されており、このジャック案内孔９の一部を塞いだ状態でシャンクローラ５ｃが載置されている。レペティションレバー８の上面の前端部には、レバースキン１３が設けられている。レペティションレバー８は、このレバースキン１３を介して、ハンマーシャンクフレンジ１に設けられたドロップスクリュー１２に、上下方向に所定間隔を隔てた状態で対向している。
【００２３】
ジャック１０は、Ｌ字状に形成されており、上下方向に延びる突き上げ部１０ａと、その下端部の角部から前方に延びる当接部１０ｂで構成されている。ジャック１０は、その角部を介して、ウィッペン２１に回動自在に取り付けられている。ジャック１０の突き上げ部１０ａの上端部は、レペティションレバー８のジャック案内孔９に挿入され、シャンクローラ５ｃとわずかな間隔を隔てた状態で対向している。また、ジャック１０の当接部１０ｂは、レギュレーティングボタン４ａと所定間隔を隔てて下方から対向している。
【００２４】
止音レール１５は、弦Ｓとハンマーシャンク５ａの間に配置され、左右方向に延びており、回動自在に設けられている。止音レール１５には、ストッパ１５ａが設けられ、ストッパ１５ａには、弾性を有するクッション１５ｂが設けられている。また、止音レール１５は、演奏モードを切り替えるために棚板の下面に設けられた操作レバー（いずれも図示省略）に、ワイヤ（図示せず）などを介して連結されている。そして、止音レール１５は、この操作レバーの操作に応じて、ストッパ１５ａがハンマーシャンク５ａの回動範囲に進入する進入位置（図１および図２の実線位置）と、ハンマーシャンク５ａの回動範囲から退避する退避位置（２点鎖線位置）に回動する。
【００２５】
ハンマーシャンクフレンジ１を移動させる駆動装置３０は、図３に示すように、シャンクレール２と、シャンクレール２とその上側のハンマーシャンクフレンジ１との間に配置されたフレンジ突き上げカム１７と、ハンマーシャンクフレンジ１の上側に設けられたフレンジ押えカム１８と、シャンクレール２に設けられたガイドロッド３などで構成されている。
【００２６】
前述したように、シャンクレール２は、ブラケット６に取り付けられ、左右方向に延びており、その上面には、ピアノ２０のすべてのハンマーシャンクフレンジ１（１つのみ図示）が、左右方向に並んだ状態で保持されている。
【００２７】
各ハンマーシャンクフレンジ１の中央には、上下方向に貫通するガイド孔３ａが形成されている。ガイドロッド３は、ガイド孔３ａに通されるとともに、シャンクレール２にねじ込まれている。それにより、ハンマーシャンクフレンジ１は、ガイドロッド３に沿って上下方向にスライド自在である。
【００２８】
フレンジ突き上げカム１７は、ハンマーシャンクフレンジ１ごとに、ガイドロッド３の前後に１つずつ設けられている。各フレンジ突き上げカム１７は、楕円形状を有しており、左右方向に延びる軸２７に偏心した状態で固定されている。これらの軸２７、２７は、前述した操作レバーにワイヤなどを介して連結されている。また、前後のフレンジ突き上げカム１７、１７は、ハンマーシャンクフレンジ１の下面に形成された凹部１ａ、１ａと、シャンクレール２の上面に形成された凹部２ａ、２ａとで形成される空間に収容されている。
【００２９】
フレンジ押えカム１８もまた、ハンマーシャンクフレンジ１ごとに、ガイドロッド３の前後に１つずつ設けられている。各フレンジ押えカム１８は、楕円形状を有しており、左右方向に延びる軸２８に固定されている。これらの軸２８、２８は、上述した操作レバーにワイヤなどを介して連結されている。
【００３０】
以上の構成により、フレンジ突き上げカム１７およびフレンジ押えカム１８は、操作レバーの操作に応じて軸２７、２８が回動することにより、互いに同期して回動する。具体的には、操作レバーが操作されていないときには、図３（ａ）に示すように、フレンジ突き上げカム１７が前後方向に長い横向きの状態になるとともに、フレンジ押えカム１８が上下方向に長い縦向きの状態になり、それにより、ハンマーシャンクフレンジ１は、下側の通常演奏位置に位置する。また、フレンジ突き上げカム１７が凹部１ａ、２ａに収容されているので、この状態では、ハンマーシャンクフレンジ１は、凹部１ａ、２ａ以外の部分でシャンクレール２に接した状態で、安定して支持される。
【００３１】
一方、この状態から操作レバーが操作されると、軸２７、２８が回動することにより、図３（ｂ）に示すように、フレンジ突き上げカム１７が縦向きの状態になるとともに、フレンジ押えカム１８が横向きの状態になる。これにより、ハンマーシャンクフレンジ１は、フレンジ突き上げカム１７で突き上げられることによって、ガイドロッド３に沿って上方にスライドし、上方の消音演奏位置に移動する。
【００３２】
また、図３に示すように、ハンマーシャンクフレンジ１の下側には、ドロップスクリュースペーサ１９が設けられている。このドロップスクリュースペーサ１９は、ハンマーシャンクフレンジ１が上述したように上方に移動するのに伴い、ドロップスクリュー１２もまた上方に移動するのに応じて、レペティションレバー８との間隔が大きくなるので、これを補償するためのものである。このドロップスクリュースペーサ１９は、板状のもので、左右方向に延びており、その厚さは、ハンマーシャンクフレンジ１の上方への移動距離とほぼ同じに設定されている。
【００３３】
図４に示すように、ドロップスクリュースペーサ１９は、ブラケット６にスライド自在に載置されている。ドロップスクリュースペーサ１９の上面には、複数の歯を前後に配列したラック２６が形成されており、このラック２６にピニオン２５が噛み合っている。このピニオン２５の軸２５ａは、前述した操作レバーにワイヤなどを介して連結されている。以上の構成により、ドロップスクリュースペーサ１９は、操作レバーが操作されていないときに、その後端部がドロップスクリュー１２の下側から前方に退避する退避位置（２点鎖線位置）に位置し、操作レバーが操作されるのに応じて、ピニオン２５が図４の時計方向に所定角度回転することで、ドロップスクリュー１２の下側に進入する進入位置（実線位置）に移動する。本実施形態では、ピニオン２５およびラック２６などによってスペーサ駆動装置３１が構成されている。
【００３４】
次に、上述した構成のピアノ２０の動作を説明する。通常演奏モードでは、図１に２点鎖線で示すように、止音レール１５は退避位置に位置し、ハンマーシャンクフレンジ１は下方の通常演奏位置に位置するとともに、ドロップスクリュースペーサ１９は、退避位置に位置している。図１に示す離鍵状態では、ハンマーシャンク５ａは、シャンクローラ５ｃを介してレペティションレバー８に載置されており、後ろ下がりに傾斜している。
【００３５】
この離鍵状態から、鍵１４が押鍵されると、ウイッペン２１が上方に回動するとともに、これに取り付けられたレペティションレバー８やジャック１０がウイッペン２１と一緒に上方に移動する。その後、レペティションレバー８がレバースキン１３を介してドロップスクリュー１２に当接し、上方への移動が規制されることによって、ジャック１０の突き上げ部１０ａが、シャンクローラ５ｃを介してハンマー５を突き上げる。その後、ジャック１０の当接部１０ｂが、レギュレーティングボタン４ａに当接し、ジャック１０の上方への移動が規制されることによって、ジャック１０が、ウイッペン２１に対して時計方向に回動し、シャンクローラ５ｃから離脱する。
【００３６】
このときのハンマーヘッド５ｂの位置は、図２に２点鎖線で示され、弦Ｓとの距離はＬ１で示される。その後、ハンマー５は慣性で回動する。また、止音レール１５は退避位置に位置しているので、ハンマーシャンク５ａは止音レール１５に当接しない。それにより、ハンマー５の回動が許容され、ハンマーヘッド５ｂで弦Ｓを打弦することによって、アコースティックな通常演奏が行われる。
【００３７】
一方、消音演奏モードで演奏を行う場合には、操作レバーを操作することによって、止音レール１５を進入位置に移動させ、ハンマーシャンクフレンジ１を上方の消音演奏位置に移動させるとともに、ドロップスクリュースペーサ１９を進入位置に移動させる。このように、ハンマーシャンクフレンジ１が上方に移動すると、それと同じ移動量で、ハンマーシャンク５ａの回動中心が上方に移動する。これに伴い、シャンクローラ５ｃは、後ろ下がりに傾斜したレペティションレバー８に沿って上方かつ前方に斜めに移動する。それにより、ハンマーシャンク５ａの傾斜角度は、移動前よりも大きくなる。その結果、ハンマーシャンク５ａの後端部に設けられたハンマーヘッド５ｂの位置が低くなる。
【００３８】
この状態で、鍵１４が押鍵されると、アクション７が通常演奏モードと同様に動作し、ジャック１０が、シャンクローラ５ｃを介してハンマー５を突き上げ、回動させるとともに、その回動の途中でシャンクローラ５ｃから離脱する。このときのハンマーヘッド５ｂの位置は、図２に実線で示されており、離鍵状態におけるハンマーヘッド５ｂの位置が低くなっていることで、ハンマーヘッド５ｂと弦Ｓとの距離Ｌ２は、通常演奏モード時の距離Ｌ１よりも大きくなる。その後、回動するハンマー５のハンマーシャンク５ａが進入位置に位置する止音レール１５に当接することで、ハンマー５の回動が阻止され、ハンマーヘッド５ｂによる弦Ｓの打弦が阻止され、消音演奏が行われる。
【００３９】
以上のように、ジャック１０の離脱時におけるハンマーヘッド５ｂと弦Ｓとの間の距離Ｌ２が、通常演奏モード時の距離Ｌ１よりも拡大されるため、ジャック１０が離脱してからハンマーヘッド５ｂが弦Ｓを打弦するまでのハンマーシャンク５ａのストロークが大きくなることによって、止音レール１５による止音を、余裕をもって確実に行うことができる。
【００４０】
また、ドロップスクリュースペーサ１９が進入位置に位置しているので、ドロップスクリュースペーサ１９とレペティションレバー８との間隔は、通常演奏モード時における、ドロップスクリュー１２とレペティションレバー８との間隔と同じである。したがって、消音演奏モード時に、ドロップスクリュースペーサ１９に当接することによってレペティションレバー８の上方への移動が阻止されるタイミングを、通常演奏モード時と同じタイミングに維持できる。
【００４１】
また、レギュレーティングボタン４ａとジャック１０の当接部１０ｂや、ジャック１０とシャンクローラ５ｃのそれぞれの上下方向の位置関係はほとんど変わらないので、ジャック１０がハンマー５から離脱するタイミングは、通常演奏モード時とほぼ同じである。以上により、通常演奏モード時とほとんど変わらない鍵１４のタッチ感を得ることができる。
【００４２】
なお、本発明は、説明した実施形態に限定されることなく、種々の態様で実施できる。実施形態では、ハンマーシャンクフレンジ１の駆動装置３０をフレンジ突き上げカム１７、フレンジ押えカム１８およびガイドロッド３などで構成しているが、この駆動装置として、適当な他の任意の構成を採用することができる。例えば、フレンジ突き上げカム１７の軸２７およびフレンジ押えカム１８の軸２８そのものを楕円形状のカムとして構成してもよい。それにより、ハンマーシャンクフレンジ１ごとにカムを設ける必要がなくなり、駆動装置の構成を簡略化することができる。また、ハンマーシャンクフレンジ１およびシャンクレール２に形成した凹部１ａ、２ａにカムを収容しているが、これらの凹部１ａ、２ａを省略することもできる。さらに、シャンクレール２を上方に移動させることにより、これに保持されたすべてのハンマーシャンクフレンジ１を一度に移動させてもよい。それにより、ハンマーシャンクフレンジ１の移動をばらつきなく行えるとともに、駆動装置の簡略化を図ることができる。
【００４３】
また、実施形態では、止音レール１５、フレンジ突き上げカム１７の軸２７、フレンジ押えカム１８の軸２８およびピニオン２５が、操作レバーに機械的に連結されているが、これらを操作レバーの操作に応じて作動するモータなどで電気的に駆動することも、本発明の範囲内である。その他、本発明の趣旨の範囲内において、細部の構成を変更することが可能である。
【図面の簡単な説明】
【００４４】
【図１】本発明のグランド型ピアノの鍵盤装置を離鍵状態において示す側断面図である。
【図２】図１の鍵盤装置を押鍵状態において示す側断面図である。
【図３】（ａ）は、通常演奏モード時における図１の鍵盤装置の部分拡大側断面図、（ｂ）は、消音演奏モード時における同様の部分拡大側断面図である。
【図４】スペーサ駆動装置の部分拡大側面図である。
【符号の説明】
【００４５】
１  ハンマーシャンクフレンジ
５  ハンマー
５ａ  ハンマーシャンク
５ｂ  ハンマーヘッド
５ｃ  シャンクローラ
８  レペティションレバー
１０  ジャック
１２  ドロップスクリュー
１４  鍵
１５  止音レール
１９  ドロップスクリュースペーサ
２０  ピアノ
３０  駆動装置
３１  スペーサ駆動装置  
Ｓ  弦
【図１】
2009251053.tif 000003
【図２】
2009251053.tif 000004
【図３】
2009251053.tif 000005
【図４】
2009251053.tif 000006